(57)【要約】【課題】単票、連帳等の媒体に印刷を行う印刷装置において、媒体の厚さによる調節によって改行精度の劣化や層間ずれが発生しないようにする。【解決手段】単票、連帳を切換えるチェンジレバ８の回動により、媒体の厚さを設定するレンジレバ３とともに回動するギア４と、媒体を押える板バネ１を回動するチェンジギア５と、アイドルギア６の噛合わせを切換え、単票印刷に設定したときは、媒体の厚さを厚く設定するほど、板バネ１のプラテン９への押付量を増加させ、連帳印刷に設定したときは、媒体の厚さを厚く設定するほど板バネ１のプラテン９への押付量を減少させるようにした。【選択図】図１
2010228389.tif 000002
【特許請求の範囲】
【請求項１】
媒体に印刷する印刷ヘッドを保持するキャリッジと、
前記印刷ヘッドに対向するプラテンと、
前記プラテンに沿って前記媒体を送給するためのガイド手段と、
前記印刷ヘッドと前記プラテンとの距離を調節する媒体厚さ調節手段と、
前記ガイド手段を前記プラテンに押圧する第１の設定または開放する第２の設定を行う媒体種類切換手段と、
前記印刷ヘッド近傍にて前記媒体を前記プラテンに押圧する押圧部材を備え、
前記第１の設定のときは前記媒体厚さ調節手段による厚い方向への設定とともに前記押圧部材の押圧力を増加させ、前記第２の設定のときは前記厚さ調節手段による厚い方向への設定とともに前記押圧部材の押圧力を下げるようにしたことを特徴とする媒体押え機構。
【請求項２】
前記押圧部材は、第１のギアに連動し回動可能な軸に固定され、
前記媒体厚さ調節手段は、第２のギアに連動して回動可能であって、前記第１の設定のときは第１のギアと第２ギアを直接噛み合わせ、前記第２の設定のときは第１のギアと第２ギアをアイドルギアを介して噛み合わせるようにしたことを特徴とする請求項１記載の媒体押え機構。
【請求項３】
前記押圧部材を前記プラテン方向に付勢する付勢手段を備え、
前記キャリッジの左端または右端への移動により、前記付勢手段の付勢力に対抗する反力を発生する対抗手段を設けたことを特徴とする請求項１または請求項２記載の媒体押え機構。
【請求項４】
前記対抗手段は、支点により回動可能に支持され、一方端部に前記押圧部材に対抗する押圧片を備え、他方端部への前記キャリッジの当接により前記押圧片を前記プラテンから離れるように回動するアーム部材であることを特徴とする請求項３記載の媒体押え機構。
【請求項５】
請求項１ないし請求項４いずれか記載の媒体押え機構を備えたことを特徴とする印刷装置。
【発明の詳細な説明】
【技術分野】
【０００１】
本発明は、単票、連帳等の媒体に印刷を行う印刷装置の媒体送り機構に関するものである。
【背景技術】
【０００２】
単票、連帳等の媒体に印刷を行う印刷装置の１つである従来のシリアルプリンタの機構を図１７及び図１８に示す。同図に示したように、媒体送り機構は押圧部材として機能する板バネ１０１、サイドフレーム１０７に固定されるプラテン１０９、媒体送りのガイド手段として機能するアイドルローラ１１３ａを保持するペーパーパン１１３で構成される。
【０００３】
そして、偏心したキャリッジシャフト１０２に取り付けられ印刷ヘッド１１１ｘを搭載したキャリッジアッセンブリ１１１は、媒体厚さ調節手段として機能するレンジレバ１０３を媒体厚によりあらかじめ決められたレンジに合わせることによってプラテン１０９と印刷ヘッド１１１ｘとのギャップを所望の距離に調節する機構となっている。
【０００４】
また、媒体種類切換手段として機能するチェンジレバ１０８は、サイドフレーム１０７に固定されたレバーを矢印ＢまたはＢｘの方向に回動させることによって、単票印刷時には、アイドルローラ１１３ａがプラテン１０９へ押圧する状態となり、連帳印刷時には、アイドルローラ１１３ａがプラテン１０９から開放されて図示しないトラクタにより媒体１１５を搬送させるための切替えが行われる。
【０００５】
また、キャリッジアッセンブリ１１１により構成される印刷ヘッド１１１ｘとプラテン１０９との間に位置する板バネ１０１は、単票印刷時のときに、キャリッジアッセンブリ１１１の往復動作により媒体１１５がずれないように媒体１１５をプラテン１０９に押圧するために必要な一定のテンションが発生するようにロアフレーム１０７ｘに固定されている。
【０００６】
以上の構成により、媒体１１５の先端が、図１８の矢印Ｕのように、プラテン１０９とペーパーパン１１３のアイドルローラ１１３ａとの間に挟まれるようにセットされると、プラテン１０９が図示しないモータ等の動力を用いて矢印Ｐのように回転し、媒体１１５を搬送する。
【０００７】
そして、媒体１１５は板バネ１０１とプラテン１０９の間を通過し、印刷を開始する位置Ｐｓまで搬送されるようになっている（例えば、特許文献１参照）。
【先行技術文献】
【特許文献】
【０００８】
【特許文献１】実開平０５−４１８１９号公報
【発明の概要】
【発明が解決しようとする課題】
【０００９】
しかしながら、板バネ１０１のテンションを強めに設計すると、改行精度は良化するが複写媒体などの媒体１１５への印刷の場合に層間ずれが発生してしまい、逆に、板バネ１０１のテンションを弱めに設計すると、複写媒体などの媒体への印刷の場合の層間ずれは少なくなるが改行精度が悪化する傾向がある。
【００１０】
そして、上記従来の媒体送り機構では、板バネ１０１が固定されているので、通常の薄い媒体への印刷では板バネ１０１のテンションが弱くなって改行精度が悪くなり、複写枚数が多く厚い媒体の場合では板バネ１０１のテンションが上昇し層間ずれが発生し、板バネ１０１の効果が理想される効果とは逆の効果となってしまうという問題があった。
【課題を解決するための手段】
【００１１】
本発明は、前述の課題を解決するため次の構成を採用する。すなわち、媒体に印刷する印刷ヘッドを保持するキャリッジと、前記印刷ヘッドに対向するプラテンと、前記プラテンに沿って前記媒体を送給するためのガイド手段と、前記印刷ヘッドと前記プラテンとの距離を調節する媒体厚さ調節手段と、前記ガイド手段を前記プラテンに押圧する第１の設定または開放する第２の設定を行う媒体種類切換手段と、前記印刷ヘッド近傍にて媒体を前記プラテンに押圧する押圧部材を備え、前記第１の設定のときは前記媒体厚さ調節手段による厚い方向への設定とともに前記押圧部材の押圧力を増加させ、前記第２の設定のときは前記厚さ調節手段による厚い方向への設定とともに前記押圧部材の押圧力を下げるようにした。
【発明の効果】
【００１２】
本発明の媒体送り機構によれば、媒体に印刷する印刷ヘッドを保持するキャリッジと、前記印刷ヘッドに対向するプラテンと、前記プラテンに沿って前記媒体を送給するためのガイド手段と、前記印刷ヘッドと前記プラテンとの距離を調節する媒体厚さ調節手段と、前記ガイド手段を前記プラテンに押圧する第１の設定または開放する第２の設定を行う媒体種類切換手段と、前記印刷ヘッド近傍にて媒体を前記プラテンに押圧する押圧部材を備え、前記第１の設定のときは前記媒体厚さ調節手段による厚い方向への設定とともに前記押圧部材の押圧力を増加させ、前記第２の設定のときは前記厚さ調節手段による厚い方向への設定とともに前記押圧部材の押圧力を下げるようにしたので、媒体種類および媒体の厚さに応じて前記押圧部材の押圧力を適正にし、改行精度の劣化や層間ずれが発生しないようにすることができる。
【図面の簡単な説明】
【００１３】
【図１】実施例１の媒体送り機構の構成図である。
【図２】実施例１の媒体送り機構の板バネおよび関連部品の構成図である。
【図３】実施例１の媒体送り機構のギアの噛合いの説明図である。
【図４】実施例１の媒体送り機構の動作説明図である。
【図５】実施例１の媒体送り機構の動作説明図である。
【図６】実施例１の媒体送り機構の動作説明図である。
【図７】実施例１の媒体送り機構のギアの噛合いの説明図である。
【図８】実施例１の媒体送り機構のチェンジレバとチェンジギアの動作説明図である。
【図９】実施例１の媒体送り機構のチェンジレバとチェンジギアの動作説明図である。
【図１０】実施例１の媒体送り機構の動作説明図である。
【図１１】実施例１の媒体送り機構の動作説明図である。
【図１２】実施例２の媒体送り機構の構成と動作説明図である。
【図１３】実施例２の媒体送り機構の動作説明図である。
【図１４】実施例２の媒体送り機構の動作説明図である。
【図１５】従来の媒体送り機構の動作説明図である。
【図１６】実施例２の媒体送り機構の動作説明図である。
【図１７】従来の媒体送り機構の構成図である。
【図１８】従来の媒体送り機構の構成および動作説明図である。
【発明を実施するための形態】
【００１４】
以下、本発明に係わる実施の形態例を、図面を用いて説明する。図面に共通する要素には同一の符号を付す。なお、以下の実施例の説明ではシリアルプリンタを例として説明するが、単票、連帳等の媒体に印刷を行う印刷装置であれば本発明を実施でき、当該印刷装置を搭載するその他の機器においても実施することができる。
【実施例１】
【００１５】
（構成）
図１は実施例１の媒体送り機構の構成を示す外観斜視図であり、図２は、板バネ１および関連部品の構成図である。
【００１６】
図１に示したように、実施例１の媒体送り機構は、サイドフレーム７に回転自在に支持されるプラテン９、矢印Ｕのように給紙されプラテン９に沿って搬送された媒体１５を押圧しながら印刷する押圧部材として機能する板バネ１、図４、図５を用いて後述する媒体送りのガイド手段として機能するアイドルローラ１３ａを保持するペーパーパン１３で構成される。
【００１７】
そして、偏心したキャリッジシャフト２に取り付けられ図示しない印刷ヘッドを搭載したキャリッジアッセンブリは、媒体厚さ調節手段として機能するレンジレバ３を媒体厚によりあらかじめ決められたレンジに合わせることによってプラテン９と印刷ヘッドとのギャップを適正な距離に調節する機構となっている。
【００１８】
また、媒体種類切換手段として機能するチェンジレバ８は、右側のサイドフレーム７に回動自在に支持され、矢印Ｂの方向に回動させることによって、単票印刷時には、アイドルローラ１３ａがプラテン９に押圧されている状態となり、矢印Ｂの反対方向に回動させることによって、連帳印刷時には、アイドルローラ１３ａがプラテン９から開放された状態となり、図示しないトラクタにより媒体１５が搬送される。
【００１９】
そして、媒体厚さ調節手段として機能するレンジレバ３とギア４は回動可能なキャリッジシャフト２に取付けられ、ギア４と噛合うチェンジギア５とアイドルギア６がサイドフレーム７に形成されている。また、チェンジギア５とサイドフレーム７との間には図示しないスプリングが設けられており、チェンジギア５は当該スプリングの作用により矢印Ｇ方向に付勢されている。
【００２０】
連帳印刷と単票印刷とを切り替える媒体厚さ調節手段として機能するチェンジレバ８は、図８、図９を用いて後述するように、その下端８ｂがチェンジギア５と当接するようにサイドフレーム７に取り付けられている。
【００２１】
印刷ヘッドとプラテン９との間に位置し押圧部材として機能する板バネ１は、図２に示したように、回動可能な軸１０に固定され、軸１０の一方端部にチェンジギア５が取り付けられている。
【００２２】
そして、軸１０にはＤカットが施されており、チェンジギア５の軸挿入部に軸１０を嵌合させているので、チェンジギア５を回動すると軸１０および板バネ１が同じように回動するようになっている。
【００２３】
（動作）
以上の構成により、実施例１の媒体送り機構は以下のように動作する。この動作を図１ないし図１１を用いて以下詳細に説明する。ここで、図１、図３、図４、図５および図８は単票印刷の状態を示し、図６、図７、図９、図１０および図１１は連帳印刷の状態を示している。
【００２４】
まず、単票印刷時の場合に、図１に示したように、チェンジレバ８を単票印刷位置（矢印Ｂ方向）に設定すると、支軸８ａを支点としてチェンジレバ８の下端８ｂが矢印Ｂｆ方向に回動する。
【００２５】
すると、図８に示したように、チェンジギア５が、チェンジレバ８の下端８ｂに設けたテーパ部（ｂ１部、ｂ２部）に沿って外れ、図示しないスプリングにより矢印Ｇ方向に移動する。その結果、ギアの噛合わせは図３に示したようにチェンジギア５＊がチェンジギア５まで移動しギア４と直接噛合う状態となる。
【００２６】
再び図１に戻って、レンジレバ３を媒体厚が厚い設定の方向、すなわち矢印Ａの方向に回動すると、板バネ１は図４の状態から図５の状態に変化する。すなわち、ギア４が矢印Ｃ方向に回動しこれと噛合うチェンジギア５が矢印Ｄ方向に回動し、チェンジギア５の軸１０に取付けられた板バネ１が矢印Ｆ方向に回動され、プラテン９に押圧される方向となり、媒体厚を厚く設定するほど、板バネ１による押圧が強くなる。
【００２７】
一方、連帳印刷時には、図６に示したように、チェンジレバ８を連帳印刷位置（矢印Ｂｘ方向）に設定すると、支軸８ａを支点としてチェンジレバ８の下端８ａが矢印Ｂｂ方向に回動する。
【００２８】
すると、図９に示したように、チェンジギア５が、チェンジレバ８の下端８ｂに設けたテーパ部ｂ１部、ｂ２部に沿って矢印Ｇｘ方向に押され、図示しないスプリングの付勢力に打ち勝って、矢印Ｇｘ方向に移動する。
【００２９】
その結果、ギアの噛合わせは、図７に示すようにチェンジギア５＊がチェンジギア５まで移動し、ギア４と直接噛合わずにアイドルギア６を介して噛合う状態となる。
【００３０】
再び図６に戻って、レンジレバ３を媒体厚が厚い設定の方向、すなわち矢印Ａの方向に回動すると、板バネ１は、図１０の状態から図１１の状態に変化する。すなわち、ギア４が矢印Ｃ方向に回動し、これと噛合うアイドルギア６が矢印Ｅ方向に回動し、これと噛合うチェンジギア５が矢印Ｄｘ方向に回動し、チェンジギア５の軸１０に取付けられた板バネ１が同様に矢印Ｆｘ方向に回動され、プラテン９から離れる方向となり、媒体厚を厚く設定するほど、板バネ１による押圧が弱くなる。
【００３１】
なお、以上の実施例１の媒体押え機構の説明では、レンジレバ３の操作によるマニュアル式のヘッドキャップ調整およびチェンジレバ８の操作による連帳単票切替えを行なう例として説明したが、媒体が単票か連帳かどうかを光学センサ等により検出し自動的に切換えを行う印刷装置にも同様に実施することができる。
【００３２】
（実施例１の効果）
以上詳細に述べたように、実施例１の媒体送り機構によれば、単票、連帳を切換えるチェンジレバの回動により、媒体の厚さを設定するレンジレバとともに回動するギアと、媒体を押える板バネ１を回動するチェンジギアと、アイドルギアの噛合わせを切換え、単票印刷に設定したときは、媒体の厚さを厚く設定するほど、板バネのプラテンへの押付量を増加させ、連帳印刷に設定したときは、媒体の厚さを厚く設定するほど板バネのプラテンへの押付量を減少させるようにしたので、媒体種類および媒体の厚さに応じて前記押圧部材の押圧力を適正にし、改行精度の劣化や層間ずれが発生しないようにすることができる。
【実施例２】
【００３３】
（構成）
実施例２の媒体送り機構の構成について、図１２の媒体送り機構の媒体送り機構の構成図を用いて以下説明する。同図に示したように、実施例２の媒体送り機構の媒体送り機構においては、キャリッジアッセンブリ１１に位置により印刷領域と給紙領域とを設けている。
【００３４】
そして、印刷領域は印刷の際にキャリッジアッセンブリ１１の例えば左端が位置する範囲であり、給紙領域は給紙動作させる際にキャリッジアッセンブリ１１の同左端が位置する範囲である。
【００３５】
板バネ１は、支点１ａで回転できるよう支持し、印刷装置の図示しないロアフレームに固定されたスプリング１４によってプラテン９方向へ付勢させる構成となっている。
【００３６】
アーム１２は、図示しないサイドフレームに支点１２ｂで回転できるように支持され、一方端部に、板バネ１をキャリッジアッセンブリ１１側に付勢する押圧バー１２ｃを有し、他方端部には、詳細後述の突起１２ａを有する構成となっている。
【００３７】
一方、キャリッジアッセンブリ１１はアーム１２の突起１２ａと逆形状の突起１１ａを有しており、キャリッジアッセンブリ１１が印刷領域の外側の給紙領域へ移動することにより、突起１１ａがアーム１２の突起１２ａ当接する構成となっている。
【００３８】
（動作）
以上の構成により、実施例２の媒体送り機構は以下のように動作する。この動作を図１２ないし図１４を用いて以下説明する。
【００３９】
図１２の矢印Ｅのように、キャリッジアッセンブリ１１が印刷領域から給紙領域に移動すると、図１３の破線部（ａ部）のように、アーム１２の突起１２ａとキャリッジアッセンブリ１１の突起１１ａが当接する。
【００４０】
さらに、矢印Ｅ方向にキャリッジアッセンブリ１１を給紙領域へ移動させると、図１４に示したように、キャリッジアッセンブリ１１の突起１１ａによってアーム１２の突起１２ａが、紙面裏側方向（矢印Ｈ方向）に押し下げられ、図１２のように、支点１２ｂを支点として矢印Ｈ方向に回動するので、押圧バー１２ｃがＩ方向に回動し、板バネ１をプラテン９から離すように作用する。
【００４１】
以上のように作用させることにより、従来の媒体送り機構では、図１５に示したように、矢印Ｕ方向から給紙された媒体１５は、板バネ１が閉じた状態でアイドルローラ１３ａにより搬送され、媒体１５の先端が閉じた板バネ１により座屈してしまう場合があったが、実施例２の媒体送り機構によれば、給紙領域にキャリッジアッセンブリ１１を移動すると、図１６に示したように、押圧バー１２ｃが矢印Ｉ方向に回動し板バネ１が開放方向に押圧され開放状態となるので、給紙された媒体１５を座屈させることなく媒体１５を送ることができる。
【００４２】
なお、以上の実施例２の説明では、板バネ１が軸１０により回動する例として説明したが、板バネ１を固定として押圧バー１２ｃによりたわませるようにしてよい。
【００４３】
（実施例２の効果）
以上詳細に述べたように、実施例２の媒体送り機構によれば、支点により回動可能に支持され、板バネに対向する押圧バーを一方端部に有し他方端部に突起部を有するアームを具備し、キャリッジアッセンブリの突起部の給紙領域への移動により前記アームの突起部を回動させ、板バネを押圧バーによりプラテンから離すようにしたので、実施例１の効果に加え、給紙の際の媒体先端の座屈が発生することない。
【産業上の利用可能性】
【００４４】
以上述べたように、本発明は、単票、連帳等の媒体に印刷を行う印刷装置に広く用いることができる。
【符号の説明】
【００４５】
１    板バネ
２    キャリッジシャフト２
３    レンジレバ
４    ギア
５    チェンジギア
６    アイドルギア
７    サイドフレーム
７ｘ  ロアフレーム
８    チェンジレバ
９    プラテン
１０  軸
１１  キャリッジアッセンブリ
１２  アーム
１３  ペーパーパン
１４  スプリング
１５  媒体
【図１】
2010228389.tif 000003
【図２】
2010228389.tif 000004
【図３】
2010228389.tif 000005
【図４】
2010228389.tif 000006
【図５】
2010228389.tif 000007
【図６】
2010228389.tif 000008
【図７】
2010228389.tif 000009
【図８】
2010228389.tif 000010
【図９】
2010228389.tif 000011
【図１０】
2010228389.tif 000012
【図１１】
2010228389.tif 000013
【図１２】
2010228389.tif 000014
【図１３】
2010228389.tif 000015
【図１４】
2010228389.tif 000016
【図１５】
2010228389.tif 000017
【図１６】
2010228389.tif 000018
【図１７】
2010228389.tif 000019
【図１８】
2010228389.tif 000020